(57)【特許請求の範囲】
【請求項１】
複数台の乗りかごと、
少なくとも１つ以上の階に設置され、利用者の行先階を含む乗場呼びの登録のための操作を受け付ける乗場行先階登録装置と、
少なくとも１つ以上の階に設置され、乗りかごの行き先方向を指定する乗場呼びの登録のための操作を受け付ける乗場呼び登録装置と、
前記乗場呼び登録装置の操作により登録された乗場呼びに応答させる乗りかごを、前記乗場行先階登録装置の操作により登録された乗場呼びを考慮して割り当てる第１の割り当て制御装置と、
前記第１の割り当て制御装置と別に設けられ、前記乗場行先階登録装置の操作により登録された行先階を含む乗場呼びに応答させる乗りかごを、前記乗場呼び登録装置の操作により登録された乗場呼びを考慮して割り当てる第２の割り当て制御装置と
を備え、
前記乗場行先階登録装置は、
前記第２の割り当て制御装置が正常に動作していない場合に、前記乗りかごの行き先方向を指定する乗場呼びの登録のための操作を受け付け、
前記第１の割り当て制御装置は、
前記乗場行先階登録装置の操作により登録された、前記乗りかごの行き先方向を指定する乗場呼びに応答させる乗りかごを割り当てる
ことを特徴とするエレベータ群管理制御システム。
【請求項２】
複数台の乗りかごと、
少なくとも１つ以上の階に設置され、利用者の行先階を含む乗場呼びの登録のための操作を受け付ける乗場行先階登録装置と、
少なくとも１つ以上の階に設置され、乗りかごの行き先方向を指定する乗場呼びの登録のための操作を受け付ける乗場呼び登録装置と、
前記乗場呼び登録装置の操作により登録された乗場呼びに応答させる乗りかごを、前記乗場行先階登録装置の操作により登録された乗場呼びを考慮して割り当てる第１の割り当て制御装置と、
前記第１の割り当て制御装置と別に設けられ、前記乗場行先階登録装置の操作により登録された行先階を含む乗場呼びに応答させる乗りかごを、前記乗場呼び登録装置の操作により登録された乗場呼びを考慮して割り当てる第２の割り当て制御装置と
を備え、
所定の同一階の乗場に前記乗場行先階登録装置と前記乗場呼び登録装置とが併設され、
前記第２の割り当て制御装置が正常に動作している場合は、前記乗場行先階登録装置に併設される前記乗場呼び登録装置による操作を無効とし、前記第２の割り当て制御装置が正常に動作していない場合は、前記乗場行先階登録装置に併設される前記乗場呼び登録装置による操作を有効とし、
前記第１の割り当て制御装置は、
前記操作が有効となった前記乗場呼び登録装置の操作により、前記乗りかごの行き先方向を指定する乗場呼びが登録された場合に、この乗場呼びに応答させる乗りかごを割り当てる
ことを特徴とするエレベータ群管理制御システム。
【請求項３】
複数台の乗りかごと、
少なくとも１つ以上の階に設置され、利用者の行先階を含む乗場呼びの登録のための操作を受け付ける乗場行先階登録装置と、
少なくとも１つ以上の階に設置され、乗りかごの行き先方向を指定する乗場呼びの登録のための操作を受け付ける乗場呼び登録装置と、
前記乗場呼び登録装置の操作により登録された乗場呼びに応答させる乗りかごを、前記乗場行先階登録装置の操作により登録された乗場呼びを考慮して割り当てる第１の割り当て制御装置と、
前記第１の割り当て制御装置と別に設けられ、前記乗場行先階登録装置の操作により登録された行先階を含む乗場呼びに応答させる乗りかごを、前記乗場呼び登録装置の操作により登録された乗場呼びを考慮して割り当てる第２の割り当て制御装置と
を備え、
所定の同一階の乗場に前記乗場行先階登録装置と前記乗場呼び登録装置とが併設され、
前記乗場行先階登録装置が正常に動作している場合は、当該乗場行先階登録装置に併設される前記乗場呼び登録装置による操作を無効とし、前記乗場行先階登録装置が正常に動作していない場合は、当該乗場行先階登録装置に併設される前記乗場呼び登録装置による操作を有効とし、
前記第１の割り当て制御装置は、
前記操作が有効となった乗場呼び登録装置の操作により、前記乗りかごの行き先方向を指定する乗場呼びが登録された場合に、この乗場呼びに応答させる乗りかごを割り当てる
ことを特徴とするエレベータ群管理制御システム。
【発明の詳細な説明】
【技術分野】
【０００１】
本発明の実施形態は、乗場での行先階登録の操作を受け付ける乗場行先階登録装置を備えたエレベータ群管理制御システムに関する。
【背景技術】
【０００２】
従来、乗場での行先階登録、つまり行先階付きの乗場呼びの為のテンキーなどの操作を受け付ける乗場行先階登録装置を備えた群管理制御方式のエレベータがある。このエレベータでは、利用者が乗場で行先階の登録のための操作を行なえるので、利用者が乗りかごに乗り込んでからの行先階登録のための操作が不要となる。この場合、群管理制御装置は、乗場からの行先階の情報を得ることができるので、利用者が乗りかごに乗り込んでからの行先階登録の情報を得る場合と比較して、より適切な乗りかごを割り当てることができる。
【先行技術文献】
【特許文献】
【０００３】
【特許文献１】特開平１−２０３１８９号公報
【発明の概要】
【発明が解決しようとする課題】
【０００４】
上述したエレベータでは、同一のエレベータ設置建屋において、行先階無しの乗場呼びの登録のための操作を受け付ける乗場呼び登録装置と、行先階付きの乗場呼びの登録のための操作を受け付ける乗場行先階登録装置とが混在して設置されている場合がある。例えば、玄関階などの特定の階床の乗場には乗場行先階登録装置が設置され、その他の階床の乗場には乗場呼び登録装置が設置される。
【０００５】
この場合、群管理制御装置は、乗場行先階登録装置の操作にともなう行先階付きの乗場呼び登録を行ない、かつ、乗場呼び登録装置の操作にともなう行先階無しの乗場呼び登録を行ない、これらの乗場呼びに応答させる乗りかごを割り当てる。
【０００６】
ここで、群管理制御装置の故障が発生するなどして、当該群管理制御装置が正常に動作しなくなった場合は、乗場行先階登録装置の操作による行先階付きの乗場呼びに応じた割り当てが行えなくなるだけでなく、乗場呼び登録装置の操作による行先階無しの乗場呼びに応じた割り当ても行えなくなり、利用者へのサービスが一切行えなくなってしまう。
【０００７】
この対策として、エレベータ設置建屋に予備の群管理制御装置を設け、主に用いる群管理制御装置が正常に動作しなくなった場合に予備の群管理制御装置を起動するようにして利用者へのサービスに支障が生じないようにしている。  
しかし、このように予備の群管理制御装置を設ける場合には、設置時のスペースを多く必要とし、また、設置時や保守時のコストも増大してしまう。
【０００８】
本発明が解決しようとする課題は、行先階無しの乗場呼びの登録のための乗場呼び登録装置と行先階付きの乗場呼びの登録のための乗場行先階登録装置とをともに設けている場合で、一部の動作に異常が生じた場合でも、利用者へのサービスに支障が生じないようにすることが可能になるエレベータ群管理制御システムを提供することにある。
【課題を解決するための手段】
【０００９】
実施形態によれば、エレベータ群管理制御システムは、複数台の乗りかごと、少なくとも１つ以上の階に設置され、利用者の行先階を含む乗場呼びの登録のための操作を受け付ける乗場行先階登録装置と、少なくとも１つ以上の階に設置され、乗りかごの行き先方向を指定する乗場呼びの登録のための操作を受け付ける乗場呼び登録装置と、前記乗場呼び登録装置の操作により登録された乗場呼びに応答させる乗りかごを、前記乗場行先階登録装置の操作により登録された乗場呼びを考慮して割り当てる第１の割り当て制御装置と、前記第１の割り当て制御装置と別に設けられ、前記乗場行先階登録装置の操作により登録された行先階を含む乗場呼びに応答させる乗りかごを、前記乗場呼び登録装置の操作により登録された乗場呼びを考慮して割り当てる第２の割り当て制御装置とをもち、乗場行先階登録装置は、第２の割り当て制御装置が正常に動作していない場合に、乗りかごの行き先方向を指定する乗場呼びの登録のための操作を受け付け、第１の割り当て制御装置は、乗場行先階登録装置の操作により登録された、乗りかごの行き先方向を指定する乗場呼びに応答させる乗りかごを割り当てる。
【図面の簡単な説明】
【００１０】
【図１】第１の実施形態におけるエレベータ群管理制御システムの構成例を示す図。
【図２】第１の実施形態におけるエレベータ群管理制御システムの群管理制御装置の機能構成例を示すブロック図。
【図３】第１の実施形態におけるエレベータ群管理制御システムの行先階登録処理装置の機能構成例を示すブロック図。
【図４】第１の実施形態におけるエレベータ群管理制御システムの群管理制御装置による動作手順の一例を示すフローチャート。
【図５】第１の実施形態におけるエレベータ群管理制御システムの行先階登録処理装置による動作手順の一例を示すフローチャート。
【図６】第２の実施形態におけるエレベータ群管理制御システムの構成例を示す図。
【図７】第２の実施形態におけるエレベータ群管理制御システムの乗場行先階登録装置の機能構成例を示すブロック図。
【図８】第２の実施形態におけるエレベータ群管理制御システムの乗場行先階登録装置の行先階付きの乗場呼び登録用の表示画面の一例を示す図。
【図９】第２の実施形態におけるエレベータ群管理制御システムの乗場行先階登録装置の行先階無しの乗場呼び登録用の表示画面の一例を示す図。
【図１０】第２の実施形態におけるエレベータ群管理制御システムの乗場行先階登録装置による動作手順の一例を示すフローチャート。
【図１１】第３の実施形態におけるエレベータ群管理制御システムの構成例を示す図。
【図１２】第３の実施形態におけるエレベータ群管理制御システムの乗場行先階登録装置の機能構成例を示すブロック図。
【図１３】第３の実施形態におけるエレベータ群管理制御システムの行先階登録処理装置の機能構成例を示すブロック図。
【図１４】第３の実施形態におけるエレベータ群管理制御システムの乗場行先階登録装置による動作手順の一例を示すフローチャート。
【図１５】第３の実施形態におけるエレベータ群管理制御システムの行先階登録処理装置による動作手順の一例を示すフローチャート。
【発明を実施するための形態】
【００１１】
以下、実施の形態について、図面を参照して説明する。  
（第１の実施形態）
まず、第１の実施形態について説明する。  
図１は、第１の実施形態におけるエレベータ群管理制御システムの構成例を示す図である。  
ここでは複数台の乗りかごの運転が群管理制御された構成が示されている。なお、乗りかごが複数台存在する場合には、「号機」という言い方をすることがある。また、単にエレベータと言った場合に、基本的には「乗りかご」のことを示す。
【００１２】
このエレベータ群管理制御システムは群管理制御装置１を設ける。この群管理制御装置１は、複数台の乗りかご３の運転を群管理制御する装置である。また、図１に示すように、複数台の各号機のかご制御装置２は、自号機の乗りかご３に対応して設けられており、図示せぬ巻上機の駆動制御やドアの開閉制御などを含む号機単体での制御を行なう。乗りかご３は、図示せぬ巻上機の駆動により昇降路内を昇降動作する。ここでは、２台分のかご制御装置および乗りかごを図示しており、その他のかご制御装置および乗りかごの図示は省略している。
【００１３】
一方、図１に示すように、所定の階床には、乗場呼び登録装置４が複数台設置され、乗場行先階登録装置５は設置されない。また、乗場呼び登録装置４が設置される階床以外の、玄関階などの所定の各階の乗場には、乗場行先階登録装置５が設置され、乗場呼び登録装置４は設置されない。また、乗りかご３内には図示せぬかご操作盤が設けられる。
【００１４】
また、乗場行先階登録装置５の設置階の乗場において、当該乗場行先階登録装置５に乗場呼び登録装置４を併設するようにしてもよい。  
図１に示した例では、各号機のかご制御装置２に対応して乗場呼び登録装置４が設けられているが、群管理制御装置１に対して乗場呼び登録装置４が電気的に直接接続されるようにしてもよい。
【００１５】
乗場行先階登録装置５は、各階の乗場にて利用者が行先階付きの乗場呼びを登録するための装置であり、行先階付きの乗場呼びを登録するための操作を受け付ける操作部と、この乗場呼びに応じた割当結果等を表示するための表示部とを有する。なお、行先階の登録方法としては、テンキーの操作や行先階釦の入力によるものが一般的であるが、乗場にて登録可能であれば、例えばカードリーダや無線ＩＣなどを用いた方法であっても良い。また、乗場行先階登録装置５は操作部と表示部を一体化したタッチパネルディスプレイを有するようにしてもよい。
【００１６】
利用者による、各階の乗場行先階登録装置５に対し、行先階付きの乗場呼びの登録のための操作が行われると、行先階と発生階とでなる２つの情報を１つの組とした行先階付きの乗場呼び情報が、当該乗場行先階登録装置５に電気的に接続される行先階登録処理装置６へ出力される。なお、以下では、必要に応じて行先階を目的階と称し、発生階を登録階と称する。また、本実施形態では、乗場行先階登録装置５からの行先階付きの乗場呼び情報は、群管理制御装置１には直接出力されない。
【００１７】
また、各階の乗場呼び登録装置４は、各階の乗場にて利用者が行先方向、つまり行先階無しの乗場呼びを登録するための装置であり、一般乗場呼び釦またはＵＰ／ＤＮ釦とも呼ばれる。乗場呼び登録装置４は、行先方向を登録するための操作を受け付ける操作部と、登録された行先方向を表示するための表示部とを有する。
【００１８】
各階の乗場呼び登録装置４への行先階無しの乗場呼びの登録のための操作が行われると、行先方向および発生階の情報である行先階無しの乗場呼び情報がかご制御装置２を介して群管理制御装置１へ出力される。また、本実施形態では、乗場呼び登録装置４からの行先階無しの乗場呼び情報は、行先階登録処理装置６には直接出力されない。
【００１９】
このように、本実施形態では、行先階付きの乗場呼び情報は行先階登録処理装置６へ出力され、また、行先階無しの乗場呼び情報は群管理制御装置１へ出力される。つまり、行先階付きの乗場呼び情報と行先階無しの乗場呼び情報とで出力先が分担されている。
【００２０】
群管理制御装置１は、乗場呼び登録装置４からの行先階無しの乗場呼び情報を受信すると、各号機のかご制御装置２から得られる、各号機の乗りかご３の運行情報（かご位置、運転方向、戸開閉状態、各号機の行先階登録情報等）に基づいて、各号機の乗りかご３の中から乗場呼び情報を割り当てる最適な乗りかごである最適かごを選定して、その最適かごに乗場呼び情報を割り当てる。以下では、乗場呼び情報が割り当てられた乗りかごのことを「割当かご」と呼ぶ。
【００２１】
また、行先階登録処理装置６は、乗場行先階登録装置５からの行先階付きの乗場呼び情報を受信すると、群管理制御装置１が各号機のかご制御装置２から得た、各号機の乗りかご３の運行情報（かご位置、運転方向、戸開閉状態、各号機の行先階登録情報等）に基づいて、各号機の乗りかご３の中から乗場呼び情報を割り当てる最適な乗りかごである最適かごを選定して、その最適かごに乗場呼び情報を群管理制御装置１に割り当てさせるための割当信号を当該群管理制御装置１に出力する。
【００２２】
図２は、第１の実施形態におけるエレベータ群管理制御システムの群管理制御装置の機能構成例を示すブロック図である。  
本実施形態において、群管理制御装置１は、装置全体の動作を司る制御部１１、記憶装置１２、通信インタフェース１３、登録制御部１４、応答時間算出部１５、割当制御部１６を有する。登録制御部１４、応答時間算出部１５、割当制御部１６は、マイクロプロセッサ上のソフトウェアにて実行される処理部であり、図２のように各部間で情報の授受が可能となっている。
【００２３】
記憶装置１２は、不揮発性メモリなどの記憶媒体であり、通信インタフェース１３、登録制御部１４、応答時間算出部１５、割当制御部１６による処理動作のためのプログラムを記憶する。登録制御部１４、応答時間算出部１５、割当制御部１６は、このプログラムを読み出して実行する事で動作する。
【００２４】
登録制御部１４は、各階の乗場呼び登録装置４で登録された行先階無しの乗場呼び情報と、この乗場呼びに応じて割当制御部１６から出力される、どの乗りかごに対して乗場呼びを割り当てたのかを示す割当かご情報とを関連付けて内部メモリに登録する。前述したように、乗場呼び情報は、行先階（目的階）と発生階（登録階）とでなる２つの情報を含む行先階付きの乗場呼び情報である場合と、発生階（登録階）および行先方向の情報を含む行先階無しの乗場呼び情報である場合とがあるが、本実施形態では、登録制御部１４は、行先階無しの乗場呼び情報のみを乗場呼び登録装置４から得る。
【００２５】
また、応答時間算出部１５は、登録制御部１４により新規に登録された行先階無しの乗場呼びに対し、各乗りかご毎に割当ての指標となる応答時間を算出する。この応答時間は、既に登録されている乗場呼びの割当情報、かご呼びの情報、現在のかご位置、運転方向、戸開閉状態などをもとに計算される。
【００２６】
通常、応答時間算出部１５は、乗りかごが既登録の呼びに応答しながら、最初に新規乗場呼びが登録された階に到着するまでの時間を、乗りかごが乗場呼びの登録階に到着するまで時間（第１の時間）として算出する。  
ここで、応答時間算出部１５は、第１の時間に、実際に利用者が乗りかごに乗車して目的階に到着するまでの第２の時間を加えた時間を応答時間として算出する。
【００２７】
割当制御部１６は、各号機の乗りかご３のそれぞれについて、応答時間算出部１５によって算出された応答時間に基づいて、登録制御部１４により新規登録された行先階無しの乗場呼びに対する最適性を表わす評価値を算出し、群管理制御装置１は当該乗場呼びの割当出力を行なう。このとき、割当制御部１６は、どの乗りかごに対して乗場呼びを割り当てたのかを示す割当かご情報を、通信インタフェース１３を介して登録制御部１４に出力する。
【００２８】
図３は、第１の実施形態におけるエレベータ群管理制御システムの行先階登録処理装置の機能構成例を示すブロック図である。  
本実施形態において、この行先階登録処理装置６は、装置全体の動作を司る制御部６１、記憶装置６２、通信インタフェース６３、登録制御部６４、応答時間算出部６５、割当制御部６６を有する。登録制御部６４、応答時間算出部６５、割当制御部６６は、マイクロプロセッサ上のソフトウェアにて実行される処理部であり、図３のように各部間で情報の授受が可能となっている。
【００２９】
記憶装置６２は、不揮発性メモリなどの記憶媒体であり、通信インタフェース６３、登録制御部６４、応答時間算出部６５、割当制御部６６による処理動作のためのプログラムを記憶する。登録制御部６４、応答時間算出部６５、割当制御部６６は、このプログラムを読み出して実行する事で動作する。
【００３０】
登録制御部６４は、各階の乗場行先階登録装置５で登録された行先階付きの乗場呼び情報と、この乗場呼びに応じて割当制御部６６から出力される割当かご情報とを関連付けて内部メモリに登録する。前述したように、乗場呼び情報は、行先階（目的階）と発生階（登録階）とでなる２つの情報を含む行先階付きの乗場呼び情報である場合と、発生階（登録階）および行先方向の情報を含む行先階無しの乗場呼び情報である場合とがあるが、本実施形態では、登録制御部６４は、行先階付きの乗場呼び情報のみを乗場行先階登録装置５から得る。
【００３１】
また、割当制御部６６は、乗場行先階登録装置５で登録された行先階付きの乗場呼び情報にしたがった、どの乗りかごに対して乗場呼びを割り当てたのかを示す割当かご情報を、通信インタフェース６３を介して操作元の乗場行先階登録装置５に出力して、当該乗場行先階登録装置５の表示部に表示させる。例えば、１階設置の乗場行先階登録装置５への操作により、１２階を行先階とする乗場呼びが登録されて、Ａ号機に割当出力された場合には、１階設置の操作元の乗場行先階登録装置５に対して割当かご情報（Ａ号機）が出力される。
【００３２】
また、割当かごが乗場行先階登録装置５からの行先階付きの乗場呼びに応答した時には、該当するかご制御装置２に対して目的階情報が出力される。これにより、かご制御装置２を通じて乗りかご３内でかご呼びが自動登録される。例えば、前述した目的階情報（１２階）が出力されていれば、乗りかご３内で１２階行きのかご呼びが自動登録されることになる。
【００３３】
応答時間算出部６５は、登録制御部６４により新規に登録された行先階付きの乗場呼びに対し、各乗りかご毎に割当ての指標となる応答時間を算出する。この応答時間は、既に登録されている乗場呼びの割当情報、かご呼びの情報、現在のかご位置、運転方向、戸開閉状態などをもとに計算される。
【００３４】
割当制御部６６は、各号機の乗りかご３のそれぞれについて、応答時間算出部６５によって算出された応答時間に基づいて、登録制御部６４により新規登録された行先階付きの乗場呼びに対する最適性を表わす評価値を算出して当該乗場呼びの割当出力を群管理制御装置１に対して行なう。このとき、割当制御部６６は、どの乗りかごに対して乗場呼びを割り当てたのかを示す割当かご情報を、通信インタフェース６３を介して登録制御部６４に出力する。
【００３５】
次に、図１に示した構成のエレベータ群管理制御システムの動作について説明する。まず、群管理制御装置１による、行先階無しの乗場呼びに対する割り当てについて説明する。  
図４は、第１の実施形態におけるエレベータ群管理制御システムの群管理制御装置による動作手順の一例を示すフローチャートである。  
利用者が乗場呼び登録装置４を操作して、この乗場呼び登録装置４からの行先階無しの乗場呼び情報を、接続先のかご制御装置２を介して群管理制御装置１の通信インタフェース１３が入力して、登録制御部１４に乗場呼び情報の信号が入力されると（ステップＳ１）、割当制御部１６は、行先階登録処理装置６に優先して最適かごの選定を行なうために、最適かごの選定の許可を求めるための許可要求信号を、通信インタフェース１３を介して行先階登録処理装置６に出力する（ステップＳ２）。
【００３６】
行先階登録処理装置６は、許可要求信号を通信インタフェース６３を介して入力すると、最適かごの選定の許可信号および、この最適かごの選定のための、登録制御部６４により登録している、つまり応答前の行先階付きの乗場呼び情報を通信インタフェース６３を介して群管理制御装置１に出力する。
【００３７】
行先階登録処理装置６からの許可信号および行先階付きの乗場呼び情報を群管理制御装置１の通信インタフェース１３を介して登録制御部１４が入力することで、行先階登録処理装置６からの最適かごの選定の許可、および行先階付きの乗場呼び情報を登録制御部１４が得る（ステップＳ３，Ｓ４）。
【００３８】
すると、応答時間算出部１５は、各号機の運行情報、および、行先階登録処理装置６からの行先階付きの乗場呼び情報に基づいて、各乗りかご毎に応答時間を算出する。そして、割当制御部１６は、各号機に関する応答時間算出部１５の算出結果に基づいて、各号機の評価値を算出する。
【００３９】
各号機の評価値が算出されると、割当制御部１６は、その中で評価値が最小となる号機を最適かごとして選定する（ステップＳ５）。なお、一般的に評価関数では、評価値の値が小さいほど評価が高く、その値が大きいほど評価が低いことを意味する。
【００４０】
そして、割当制御部１６は、選定した最適かごの号機に対応するかご制御装置２に割当信号を出力する（ステップＳ６）、これにより、利用者が乗場呼び登録装置４を操作することによる行先階無しの乗場呼びに乗りかご３が応答する。
【００４１】
そして、割当制御部１６は、行先階登録処理装置６による最適かごの選定を再開させるために、最適かごの選定の再開許可信号を、通信インタフェース１３を介して行先階登録処理装置６に出力する。  
行先階登録処理装置６は、再開許可信号を、通信インタフェース６３を介して入力すると、前述した許可要求信号を再度入力するまでの間、行先階付きの乗場呼び情報に対する最適かご選定を行なうことが可能となる。
【００４２】
次に、行先階登録処理装置６による、行先階付きの乗場呼びに対する割り当てについて説明する。  
図５は、第１の実施形態におけるエレベータ群管理制御システムの行先階登録処理装置による動作手順の一例を示すフローチャートである。  
ここでは、行先階登録処理装置６は、群管理制御装置１からの許可要求信号を入力しておらず、行先階付きの乗場呼び情報に対する最適かご選定が可能であると仮定する。  
利用者が乗場行先階登録装置５を操作して、この乗場行先階登録装置５からの行先階付きの乗場呼び情報を行先階登録処理装置６の通信インタフェース６３が入力して、登録制御部６４に乗場呼び情報の信号が入力されると（ステップＳ１１）、割当制御部６６は、各号機の運行情報を考慮して、行先階付きの乗場呼び情報に対する最適かごを選定するために、各号機の運行情報の要求信号を通信インタフェース６３を介して群管理制御装置１に出力する（ステップＳ１２）。
【００４３】
群管理制御装置１は、要求信号を通信インタフェース１３を介して入力すると、登録制御部１４により登録している運行情報を通信インタフェース１３を介して行先階登録処理装置６に出力する。
【００４４】
群管理制御装置１からの運行情報を通信インタフェース６３を介して登録制御部６４が入力することで、群管理制御装置１からの運行情報を登録制御部６４が得る（ステップＳ１３）。  
すると、応答時間算出部６５は、行先階付きの乗場呼び情報、および、群管理制御装置１からの各号機の運行情報に基づいて、各乗りかご毎に応答時間を算出する。そして、割当制御部６６は、各号機に関する応答時間算出部６５の算出結果に基づいて、各号機の評価値を算出する。
【００４５】
各号機の評価値が算出されると、割当制御部６６は、その中で評価値が最小となる号機を最適かごとして選定する（ステップＳ１４）。  
そして、割当制御部６６は、選定した最適かごの号機に対応するかご制御装置２宛ての割当信号を通信インタフェース６３を介して群管理制御装置１に出力する。群管理制御装置１の通信インタフェース１３により、行先階登録処理装置６からの割当信号を入力すると、割当制御部１６は、この割当信号で示される、選定済みの最適かごの号機に対応するかご制御装置２に割当信号を出力する（ステップＳ１５）、これにより、利用者が乗場行先階登録装置５を操作することによる行先階付きの乗場呼びに乗りかご３が応答する。
【００４６】
以上のように、第１の実施形態におけるエレベータ群管理制御システムでは、乗場呼び登録装置４の操作に伴う行先階無しの乗場呼びに対する割り当てを行なう群管理制御装置１と、乗場行先階登録装置５の操作に伴う行先階付きの乗場呼びに対する割り当てである最適かごの選定を行なう行先階登録処理装置６とをそれぞれ設けた構成としている。
【００４７】
このような構成とすることで、仮に行先階登録処理装置６が故障するなどして、行先階付きの乗場呼びを登録、またはこの乗場呼びに対する割り当てが行えなくなった場合でも、乗場呼び登録装置４の操作に伴う行先階無しの乗場呼びに対する割り当てについては、群管理制御装置１が継続して行なうことができるので、利用客へのサービスが全く行えなくなってしまうことを回避できる。
【００４８】
また、全ての階床に乗場呼び登録装置４を設置して、前述したように、乗場行先階登録装置５の設置階の乗場において、当該乗場行先階登録装置５と乗場呼び登録装置４とを併設するようにすれば、行先階登録処理装置６が故障するなどしても、行先階無しの乗場呼びのための操作を受け付けて、この乗場呼びに対する割り当てを行なうことができるので、全ての階床においてサービスを継続することができる。
【００４９】
また、乗場呼び登録装置４の操作に伴う行先階無しの乗場呼びに対する割り当てを行なう群管理制御装置１を設け、乗場行先階登録装置５や行先階登録処理装置６を設けていない、従来型のエレベータ群管理制御システムを改修して、本実施形態におけるエレベータ群管理制御システムを構築するには、乗場行先階登録装置５や行先階登録処理装置６を新たに設け、かつ、群管理制御装置１の登録制御部１４、応答時間算出部１５、割当制御部１６の機能を、行先階登録処理装置６からの行先階付きの乗場呼びを考慮して割り当て号機の選定を行なうように変更すればよい。よって、群管理制御装置１自体を交換する必要なしに、従来型のエレベータ群管理制御システムから本実施形態におけるエレベータ群管理制御システムへの改修が行える。
【００５０】
（第２の実施形態）
次に、第２の実施形態について説明する。なお、以下の各実施形態における構成のうち第１の実施形態で示したものと同一部分の説明は省略する。  
本実施形態におけるエレベータ群管理制御システムは、乗場行先階登録装置５の設置階に乗場呼び登録装置４を設けていない場合において、行先階登録処理装置６が故障するなどして、行先階付きの乗場呼びの登録やこの乗場呼びに対する割り当てが行えなくなった場合に、乗場行先階登録装置５を乗場呼び登録装置４の代わりとして用いることで、行先階無しの乗場呼びを登録してこの乗場呼びに対する割り当てを行なえるようにすることで、乗場呼び登録装置４を設けていない階床においても利用客へのサービスを継続できるようにしたことを特徴とする。
【００５１】
図６は、第２の実施形態におけるエレベータ群管理制御システムの構成例を示す図である。  
このエレベータ群管理制御システムでは、図１に示した、第１の実施形態におけるエレベータ群管理制御システムと比較して、乗場行先階登録装置５は、第１の実施形態で説明した行先階登録処理装置６に電気的に接続されるだけでなく、各号機のかご制御装置２にも電気的に接続されている。この乗場行先階登録装置５は、いずれかの号機のかご制御装置２のみに電気的に接続されるようにしてもよい。本実施形態では、前述したように、乗場行先階登録装置５が設けられる乗場には乗場呼び登録装置４は設けられていない。
【００５２】
本実施形態では、行先階登録処理装置６が故障するなどして、行先階付きの乗場呼びの登録やこの乗場呼びに対する割り当てが行えなくなった場合に、乗場行先階登録装置５を乗場呼び登録装置４の代わりに用い、この乗場行先階登録装置５の操作による、行先階無しの乗場呼び情報を接続先のかご制御装置２を介して群管理制御装置１に出力する。
【００５３】
図７は、第２の実施形態におけるエレベータ群管理制御システムの乗場行先階登録装置の機能構成例を示すブロック図である。  
図７に示すように。本実施形態における乗場行先階登録装置５は、装置全体の動作を司る制御部５１、記憶装置５２、通信インタフェース５３、出力制御部５４、タッチパネル５５、表示制御部５６、異常検出部５７を有する。出力制御部５４、表示制御部５６、異常検出部５７は、マイクロプロセッサ上のソフトウェアにて実行される処理部であり、図７のように各部間で情報の授受が可能となっている。
【００５４】
記憶装置５２は、不揮発性メモリなどの記憶媒体であり、通信インタフェース５３、出力制御部５４、表示制御部５６、異常検出部５７による処理動作のためのプログラムを記憶する。出力制御部５４、表示制御部５６、異常検出部５７は、このプログラムを読み出して実行する事で動作する。
【００５５】
タッチパネル５５は、行先階を登録するための操作部と、割当結果等を表示するための表示部とを一体化したタッチパネルディスプレイである。表示制御部５６は、行先階登録処理装置６の動作の異常の有無に応じて、表示画面を、行先階付きの乗場呼び登録用の表示画面、もしくは、行先階無しの乗場呼び登録用の表示画面に切り替える。
【００５６】
図８は、第２の実施形態におけるエレベータ群管理制御システムの乗場行先階登録装置の行先階付きの乗場呼び登録用の表示画面の一例を示す図である。  
図８に示すように、乗場行先階登録装置５のタッチパネル５５に表示される行先階付きの乗場呼び登録用の表示画面では、行先階の選択用のアイコン、および行先階の選択入力を求めるメッセージが表示される。利用者が、この画面上の所望の行先階のアイコンに触れることにより、行先階付きの乗場呼び情報が出力される。
【００５７】
図９は、第２の実施形態におけるエレベータ群管理制御システムの乗場行先階登録装置の行先階無しの乗場呼び登録用の表示画面の一例を示す図である。  
図９に示すように、乗場行先階登録装置５のタッチパネル５５に表示される行先階無しの乗場呼び登録用の表示画面では、行先方向の選択用のアイコン、および行先方向の選択入力を求めるメッセージが表示される。利用者が、この画面上の所望の行先階のアイコンに触れることにより、行先階無しの乗場呼び情報が出力される。
【００５８】
また、乗場行先階登録装置５の異常検出部５７は、行先階登録処理装置６からの、当該行先階登録処理装置６が正常に動作している事を示す動作信号を、通信インタフェース５３を介して入力している場合には、行先階登録処理装置６が正常に動作していることを検出し、行先階登録処理装置６の故障などにより、当該行先階登録処理装置６からの動作信号を入力できなくなった場合には、行先階登録処理装置６が正常に動作しなくなったことを検出する。
【００５９】
出力制御部５４は、行先階登録処理装置６が正常に動作していることを異常検出部５７が検出した場合には、タッチパネル５５の操作による乗場呼び情報の出力先が行先階登録処理装置６となるように制御する。
【００６０】
また、出力制御部５４は、行先階登録処理装置６が正常に動作していないことを異常検出部５７が検出した場合には、乗場行先階登録装置５を乗場呼び登録装置４の代わりとするために、当該乗場行先階登録装置５のタッチパネル５５への操作による乗場呼び情報の出力先がかご制御装置２となるように制御する。
【００６１】
次に、本実施形態におけるエレベータ群管理制御システムの動作について説明する。図１０は、第２の実施形態におけるエレベータ群管理制御システムの乗場行先階登録装置による動作手順の一例を示すフローチャートである。ここで説明する動作は、行先階登録処理装置６が故障するなどして、行先階付きの乗場呼びを登録できなくなった場合に、乗場行先階登録装置５を乗場呼び登録装置４の代わりとして用いて、乗場行先階登録装置５の設置階床における行先階無しの乗場呼びを登録できるようにするための動作である。
【００６２】
まず、行先階登録処理装置６の割当制御部６６は、正常な割り当てを行なえている場合に、これを示す動作信号を一定時間おきに通信インタフェース６３を介して乗場行先階登録装置５に出力している。
【００６３】
乗場行先階登録装置５の異常検出部５７は、前述した一定時間ごとに行先階登録処理装置６からの動作信号を通信インタフェース５３を介して入力している場合は、行先階登録処理装置６が正常に動作していることを検出する。  
一方、異常検出部５７は、前述した一定時間が経過しても、行先階登録処理装置６からの動作信号を通信インタフェース５３を介して入力していない場合は、行先階登録処理装置６の故障などにより、当該行先階登録処理装置６が正常に動作していない事を示す動作異常を検出し、この旨を出力制御部５４および表示制御部５６に出力する（ステップＳ２１）。
【００６４】
すると、出力制御部５４は、自装置である乗場行先階登録装置５を乗場呼び登録装置４の代わりとして用いるために、タッチパネル５５の操作による乗場呼び情報の出力先が接続先のかご制御装置２となるように切り替え制御する（ステップＳ２２）。
【００６５】
また、表示制御部５６は、タッチパネル５５の表示画面を、図８に示したような行先階付きの乗場呼び登録用の表示画面から、図９に示したような行先階無しの乗場呼び登録用の表示画面に切り替えることで、利用者に対し、タッチパネル５５の表示画面が行先階付きの乗場呼び登録用の画面から行先階無しの乗場呼び登録用の画面に切り替わったことを案内する（ステップＳ２３）。
【００６６】
この画面にしたがって、利用者がタッチパネル５５に対して行先階無しの乗場呼び登録のための操作を行なうと（ステップＳ２４）、出力制御部５４は、タッチパネル５５の操作により生成された行先階無しの乗場呼び情報を通信インタフェース５３を介して、接続先のかご制御装置２に出力する（ステップＳ２５）。
【００６７】
このように、行先階登録処理装置６が正常に動作しておらず、行先階付きの乗場呼び登録、およびこの乗場呼びに応じた割り当てが行えない場合において、乗場行先階登録装置５を行先階無しの乗場呼び登録のための操作を受け付けるための装置、つまり乗場呼び登録装置４の代わりとして用いて、この行先階無しの乗場呼びに応じた割り当てを行なうことができる。
【００６８】
そして、行先階登録処理装置６の故障の修理が完了するなどして、行先階登録処理装置６の正常な動作が復旧して、異常検出部５７が、行先階登録処理装置６からの動作信号を通信インタフェース５３を介して再び入力した場合は、この異常検出部５７は、この旨を出力制御部５４および表示制御部５６に出力する（ステップＳ２６）。
【００６９】
すると、出力制御部５４は、自装置である乗場行先階登録装置５についての乗場呼び登録装置４の代わりとしての使用を終了して、元の使用形態である行先階付きの乗場呼び登録のための操作に用いるために、タッチパネル５５の操作による乗場呼び情報の出力先が行先階登録処理装置６に戻るように切り替え制御する（ステップＳ２７）。
【００７０】
また、表示制御部５６は、タッチパネル５５の表示画面を、図９に示したような行先階無しの乗場呼び登録用の表示画面から、元の表示画面である、図８に示したような行先階付きの乗場呼び登録用の表示画面に切り替えることで、利用者に対し、タッチパネル５５の表示画面が行先階無しの乗場呼び登録用の画面から行先階付きの乗場呼び登録用の画面に切り替わったことを案内する（ステップＳ２８）。
【００７１】
この画面にしたがって、利用者がタッチパネル５５に対して行先階付きの乗場呼び登録のための操作を行なうと（ステップＳ２９）、出力制御部５４は、タッチパネル５５の操作により生成された行先階付きの乗場呼び情報を通信インタフェース５３を介して行先階登録処理装置６に出力する（ステップＳ３０）。
【００７２】
以上のように、第２の実施形態におけるエレベータ群管理制御システムでは、乗場行先階登録装置５の設置階に乗場呼び登録装置４を設けていない場合において、行先階登録処理装置６が故障するなどして、行先階付きの乗場呼びの登録、およびこの乗場呼びに対する割り当てが行えなくなった場合に、乗場行先階登録装置５を乗場呼び登録装置４の代わりに用いることで、乗場呼び登録装置４を設けていない階床における行先階無しの乗場呼びのための操作を受け付けて、この行先階無しの乗場呼びに応じた割り当てを行なうことができる。よって、第１の実施形態で説明した特徴に加え、行先階付きの乗場呼びを登録できなくなった場合でも、乗場行先階登録装置５が設置されていない階床を含むすべての階床において利用者へのサービスを継続することができる。
【００７３】
また、乗場呼び登録装置４の操作に伴う行先階無しの乗場呼びに対する割り当てを行なう群管理制御装置１を設け、乗場行先階登録装置５や行先階登録処理装置６を設けていない、従来型のエレベータ群管理制御システムを改修して、本実施形態におけるエレベータ群管理制御システムを構築するには、行先階登録処理装置６を新たに設け、かつ、乗場行先階登録装置５を設けたい乗場の乗場呼び登録装置４を、行先階無しの乗場呼びの登録のための操作を受け付ける事が可能な乗場行先階登録装置５に交換し、かつ、群管理制御装置１の登録制御部１４、応答時間算出部１５、割当制御部１６の機能を、行先階登録処理装置６からの行先階付きの乗場呼びを考慮して割り当て号機の選定を行なうように変更すればよい。よって、群管理制御装置１自体を交換する必要なしに、従来型のエレベータ群管理制御システムから本実施形態におけるエレベータ群管理制御システムへの改修が行なえる。
【００７４】
さらに、前述したように、改修にあたり、乗場行先階登録装置５を設けたい乗場では、乗場呼び登録装置４を乗場行先階登録装置５に交換すれば良いので、乗場行先階登録装置５を設けたい乗場において、乗場呼び登録のための１種類の装置を設ければ、行先階登録処理装置６の動作の異常の有無に応じて、この乗場からの行先階付きの乗場呼び登録および行先階無しの乗場呼び登録を行なうことができる。よって、乗場のスペースが狭いことにより改修の実施への影響を受けることはない。
【００７５】
（第３の実施形態）
次に、第３の実施形態について説明する。本実施形態におけるエレベータ群管理制御システムは、乗場行先階登録装置５の設置階の乗場に当該乗場行先階登録装置５と乗場呼び登録装置４とを併設している場合において、行先階登録処理装置６が故障するなどして、行先階付きの乗場呼びの登録やこの乗場呼びに対する割り当てを行なえなくなった場合に、乗場行先階登録装置５に併設される乗場呼び登録装置４の操作を有効とすることで、利用者へのサービスを継続できるようにしたことを特徴とする。
【００７６】
図１１は、第３の実施形態におけるエレベータ群管理制御システムの構成例を示す図である。  
このエレベータ群管理制御システムでは、図１に示した、第１の実施形態におけるエレベータ群管理制御システムと比較して、乗場行先階登録装置５の設置階の乗場に当該乗場行先階登録装置５と乗場呼び登録装置４とが併設されており、乗場行先階登録装置５は、当該乗場行先階登録装置５に併設される乗場呼び登録装置４と電気的に接続されている。
【００７７】
また、本実施形態では、第１の機能として、乗場行先階登録装置５は、行先階登録処理装置６が正常に動作しているか否かを検出する事で、行先階付きの乗場呼びを登録できるか否かを検出する機能を有する。
【００７８】
この検出の結果、乗場行先階登録装置５は、行先階登録処理装置６が正常に動作していて、行先階付きの乗場呼びを登録できる場合には、自装置である乗場行先階登録装置５に併設される乗場呼び登録装置４の操作を無効とする。また、乗場行先階登録装置５は、行先階登録処理装置６が故障するなどして、行先階付きの乗場呼びを登録できなくなった場合には、自装置に併設される乗場呼び登録装置４の操作を有効として、行先階無しの乗場呼び登録を可能にする。
【００７９】
さらに、本実施形態では、行先階登録処理装置６は、各階の乗場行先階登録装置５に併設される、それぞれの乗場呼び登録装置４に電気的に接続されている。本実施形態では、第１の機能として、行先階登録処理装置６は、それぞれの乗場行先階登録装置５が正常に動作しているか否かを検出する事で、行先階付きの乗場呼びを登録できるか否かを検出する機能も有する。
【００８０】
この検出の結果、行先階登録処理装置６は、対象となる乗場行先階登録装置５が正常に動作していて、この乗場行先階登録装置５への操作に伴う行先階付きの乗場呼びを登録できる場合には、この乗場行先階登録装置５に併設される乗場呼び登録装置４の操作を無効とする。
【００８１】
一方、行先階登録処理装置６は、対象の乗場行先階登録装置５が故障しているなどして、この乗場行先階登録装置５への操作に伴う行先階付きの乗場呼びを登録できなくなった場合には、この乗場行先階登録装置５に併設される乗場呼び登録装置４の操作を有効として、行先階無しの乗場呼び登録を可能にする。
【００８２】
図１２は、第３の実施形態におけるエレベータ群管理制御システムの乗場行先階登録装置の機能構成例を示すブロック図である。  
図１２に示すように。本実施形態における乗場行先階登録装置５は、装置全体の動作を司る制御部５１、記憶装置５２、通信インタフェース５３、タッチパネル５５、表示制御部５６、異常検出部５７、動作制御部５９を有する。表示制御部５６、異常検出部５７、動作制御部５９は、マイクロプロセッサ上のソフトウェアにて実行される処理部であり、図１２のように各部間で情報の授受が可能となっている。
【００８３】
記憶装置５２は、不揮発性メモリなどの記憶媒体であり、表示制御部５６、異常検出部５７、動作制御部５９による処理動作のためのプログラムを記憶する。表示制御部５６、異常検出部５７、動作制御部５９は、このプログラムを読み出して実行する事で動作する。
【００８４】
タッチパネル５５は、行先階を登録するための操作部と、割当結果等を表示するための表示部とを一体化したものである。表示制御部５６は、行先階登録処理装置６の動作の異常の有無に応じて、行先階付きの乗場呼び登録用の表示画面を表示させたり、この表示を停止したりする。
【００８５】
また、乗場行先階登録装置５の異常検出部５７は、行先階登録処理装置６からの、当該行先階登録処理装置６が正常に動作している事を示す動作信号を入力している場合には、行先階登録処理装置６が正常に動作していることを検出し、行先階登録処理装置６の故障などにより、当該行先階登録処理装置６からの動作信号を入力できなくなった場合には、行先階登録処理装置６が正常に動作しなくなったことを検出する。
【００８６】
動作制御部５９は、行先階登録処理装置６が正常に動作していることを異常検出部５７が検出している場合には、自装置である乗場行先階登録装置５に併設される乗場呼び登録装置４の電源をオフにすることで、この乗場呼び登録装置４の操作を無効に制御する。
【００８７】
また、動作制御部５９は、行先階登録処理装置６が正常に動作していないことを異常検出部５７が検出している場合には、自装置である乗場行先階登録装置５に併設される乗場呼び登録装置４の電源をオンにすることで、この乗場呼び登録装置４の操作が有効になるように制御する。
【００８８】
図１３は、第３の実施形態におけるエレベータ群管理制御システムの行先階登録処理装置の機能構成例を示すブロック図である。  
本実施形態における行先階登録処理装置６は、第１の実施形態で説明した制御部６１、記憶装置６２、通信インタフェース６３、登録制御部６４、応答時間算出部６５、割当制御部６６に加え、異常検出部６７および動作制御部６８をさらに有する。登録制御部６４、応答時間算出部６５、割当制御部６６に加え、異常検出部６７および動作制御部６８は、マイクロプロセッサ上のソフトウェアにて実行される処理部であり、図１３のように各部間で情報の授受が可能となっている。
【００８９】
記憶装置６２は、不揮発性メモリなどの記憶媒体であり、通信インタフェース６３、登録制御部６４、応答時間算出部６５、割当制御部６６、異常検出部６７、動作制御部６８による処理動作のためのプログラムを記憶する。登録制御部６４、応答時間算出部６５、割当制御部６６、異常検出部６７、動作制御部６８は、このプログラムを読み出して実行する事で動作する。
【００９０】
異常検出部６７は、乗場行先階登録装置５からの、当該乗場行先階登録装置５が正常に動作している事を示す動作信号を入力している場合には、この乗場行先階登録装置５が正常に動作していることを検出し、乗場行先階登録装置５の故障などにより、当該乗場行先階登録装置５からの動作信号を入力できなくなった場合には、この乗場行先階登録装置５が正常に動作しなくなったことを検出する。
【００９１】
動作制御部６８は、乗場行先階登録装置５が正常に動作していることを異常検出部６７が検出している場合には、この乗場行先階登録装置５に併設される乗場呼び登録装置４の電源をオフにすることで、この乗場呼び登録装置４の操作が無効になるように制御する。
【００９２】
また、動作制御部６８は、乗場行先階登録装置５が正常に動作していないことを異常検出部６７が検出している場合には、この乗場行先階登録装置５に併設される乗場呼び登録装置４の電源をオンにすることで、この乗場呼び登録装置４の操作が有効になるように制御する。
【００９３】
次に、本実施形態におけるエレベータ群管理制御システムの動作について説明する。図１４は、第３の実施形態におけるエレベータ群管理制御システムの乗場行先階登録装置による動作手順の一例を示すフローチャートである。ここで説明する動作は、行先階登録処理装置６が故障するなどして、行先階付きの乗場呼びを登録できなくなった場合に、乗場行先階登録装置５に併設される乗場呼び登録装置４の操作を有効にするための動作である。
【００９４】
まず、行先階登録処理装置６の割当制御部６６は、正常に動作している場合に、これを示す動作信号を一定時間おきに通信インタフェース６３を介して乗場行先階登録装置５に出力している。
【００９５】
乗場行先階登録装置５の異常検出部５７は、前述した一定時間ごとに行先階登録処理装置６からの動作信号を通信インタフェース５３を介して入力している場合は、行先階登録処理装置６が正常に動作していることを検出する。一方、異常検出部５７は、前述した一定時間が経過しても行先階登録処理装置６からの動作信号を通信インタフェース５３を介して入力していない場合は、行先階登録処理装置６の故障などにより、当該行先階登録処理装置６が正常に動作していない動作異常を検出し、この旨を表示制御部５６および動作制御部５９に出力する（ステップＳ４１）。
【００９６】
すると、表示制御部５６は、自装置である乗場行先階登録装置５のタッチパネル５５に表示されている行先階付きの乗場呼び登録用の表示画面の表示を停止することで、このタッチパネル５５の操作による行先階付きの乗場呼び登録を停止する（ステップＳ４２）。
【００９７】
また、動作制御部５９は、自装置である乗場行先階登録装置５に併設される乗場呼び登録装置４への電源をオンにすることで起動させ、この乗場呼び登録装置４の操作が有効になるように制御する。
【００９８】
ここで、表示制御部５６は、当該併設される乗場呼び登録装置４の操作が有効になったことを利用者に案内するために、タッチパネル５５に「行先方向のボタンを押してください」とのメッセージを表示させる（ステップＳ４３）。
【００９９】
利用者が、この併設される乗場呼び登録装置４に対して行先階無しの乗場呼び登録のための操作を行なうと（ステップＳ４４）、行先階無しの乗場呼び情報が接続先のかご制御装置２に出力される（ステップＳ４５）。
【０１００】
このように、行先階登録処理装置６が正常に動作しておらず、行先階付きの乗場呼び登録、およびこの乗場呼びに応じた割り当てが行えない場合において、乗場行先階登録装置５に併設される乗場呼び登録装置４の操作を有効にすることで、行先階無しの乗場呼びに応じた割り当てを行なうことができる。
【０１０１】
そして、行先階登録処理装置６の故障の修理が完了するなどして、行先階登録処理装置６の正常な動作が復旧して、異常検出部５７が、行先階登録処理装置６からの動作信号を通信インタフェース５３を介して再び入力した場合は、この異常検出部５７は、この旨を表示制御部５６および動作制御部５９に出力する（ステップＳ４６）。
【０１０２】
すると、表示制御部５６は、自装置である乗場行先階登録装置５のタッチパネル５５に表示されている、Ｓ４３で表示したメッセージの案内表示を終了して、かつ、行先階付きの乗場呼び登録用の表示画面の表示を再開することで、このタッチパネル５５の操作による行先階付きの乗場呼び登録を再開する（ステップＳ４７）。
【０１０３】
また、動作制御部５９は、自装置である乗場行先階登録装置５に併設される乗場呼び登録装置４への電源をオフにすることで当該乗場呼び登録装置を停止させ、この乗場呼び登録装置４の操作が無効になるように制御する（ステップＳ４８）。
【０１０４】
この画面にしたがって、利用者がタッチパネル５５に対して行先階付きの乗場呼び登録のための操作を行なうと（ステップＳ４９）、タッチパネル５５の操作により生成された行先階付きの乗場呼び情報が通信インタフェース５３を介して、行先階登録処理装置６に出力される（ステップＳ５０）。
【０１０５】
図１５は、第３の実施形態におけるエレベータ群管理制御システムの行先階登録処理装置による動作手順の一例を示すフローチャートである。ここで説明する動作は、乗場行先階登録装置５が正常に動作しなくなり、この乗場行先階登録装置５の操作に伴う行先階付きの乗場呼びを登録できなくなった場合に、この乗場行先階登録装置５に併設される乗場呼び登録装置４の操作を有効にするための動作である。
【０１０６】
まず、それぞれの乗場行先階登録装置５の動作制御部５９は、自装置が正常に動作している場合に、これを示す動作信号を一定時間おきに通信インタフェース５３を介して行先階登録処理装置６に出力している。この動作信号には、乗場行先階登録装置５の設置箇所を示す識別情報が含まれる。
【０１０７】
行先階登録処理装置６の異常検出部６７は、前述した一定時間ごとに乗場行先階登録装置５からの動作信号を通信インタフェース６３を介して入力している場合は、動作信号の出力元の乗場行先階登録装置５が正常に動作していることを検出する。一方、異常検出部６７は、前述した一定時間が経過しても乗場行先階登録装置５からの動作信号を通信インタフェース６３を介して入力していない場合は、この乗場行先階登録装置５が正常に動作していない事を示す動作異常を検出し、この旨を動作制御部６８に出力する（ステップＳ６１）。
【０１０８】
すると、動作制御部６８は、異常検出元の乗場行先階登録装置５に対し、電源制御信号を通信インタフェース６３を介して出力して、出力先の乗場行先階登録装置５の電源をオフにすることで、この乗場行先階登録装置５の操作による行先階付きの乗場呼び登録を停止する（ステップＳ６２）。
【０１０９】
また、動作制御部６８は、異常検出元の乗場行先階登録装置５に併設される乗場呼び登録装置４、つまり、動作信号の入力が確認できない乗場行先階登録装置５の識別情報の設置箇所に対応する識別情報を有する乗場呼び登録装置４へ電源制御信号を出力して、この出力先の乗場呼び登録装置４の電源をオンにすることで起動させ、この乗場呼び登録装置４の操作が有効になるように制御する。
【０１１０】
本実施形態では、乗場行先階登録装置５に併設される乗場呼び登録装置４は、表示装置を有する。動作制御部６８は、前述した電源制御信号とともに、異常検出元の乗場行先階登録装置５に併設される乗場呼び登録装置４の操作が有効になったことを利用者に案内するための、「行先方向のボタンを押してください」とのメッセージを表示させるための表示制御信号を乗場呼び登録装置４に出力して表示装置に表示させる（ステップＳ６３）。これにより、利用者は、異常検出元の乗場行先階登録装置５に併設される乗場呼び登録装置４の操作が有効になったことを把握できる。
【０１１１】
利用者が、この併設される乗場呼び登録装置４に対して行先階無しの乗場呼び登録のための操作を行なうと（ステップＳ６４）、行先階無しの乗場呼び情報が接続先のかご制御装置２に出力される（ステップＳ６５）。
【０１１２】
このような動作とすると、乗場行先階登録装置５が正常に動作しておらず、この乗場行先階登録装置５の操作に伴う行先階付きの乗場呼び登録、およびこの乗場呼びに応じた割り当てが行えない場合において、異常検出元の乗場行先階登録装置５に併設される乗場呼び登録装置４の操作を有効にして、行先階無しの乗場呼びに応じた割り当てを行なうことができる。
【０１１３】
そして、異常検出元の乗場行先階登録装置５の修理が完了するなどして、当該乗場行先階登録装置５の正常な動作が復旧して、行先階登録処理装置６の異常検出部６７が、異常検出元の乗場行先階登録装置５からの動作信号を通信インタフェース６３を介して再び入力した場合は、この異常検出部６７は、この旨を動作制御部６８に出力する（ステップＳ６６）。
【０１１４】
すると、動作制御部６８は、通信インタフェース６３を介して異常検出元の乗場行先階登録装置５に電源制御信号を出力して、出力先の乗場行先階登録装置５の電源をオンにすることで、この乗場行先階登録装置５の操作による行先階付きの乗場呼び登録を再開する（ステップＳ６７）。
【０１１５】
また、動作制御部６８は、異常検出元の乗場行先階登録装置５に併設される乗場呼び登録装置４への電源をオフにすることで停止させ、この乗場呼び登録装置４の操作が無効になるように制御する。これにより、ステップＳ６３で乗場呼び登録装置４の表示装置に表示されたメッセージの表示も終了する（ステップＳ６８）。
【０１１６】
利用者が、電源がオンになった乗場行先階登録装置５のタッチパネル５５に対して行先階付きの乗場呼び登録のための操作を行なうと（ステップＳ６９）、タッチパネル５５の操作により生成された行先階付きの乗場呼び情報が通信インタフェース５３を介して、行先階登録処理装置６に出力される（ステップＳ７０）。
【０１１７】
以上のように、第３の実施形態におけるエレベータ群管理制御システムでは、乗場行先階登録装置５に乗場呼び登録装置４を併設している場合において、行先階登録処理装置６が故障するなどして、行先階付きの乗場呼びを登録できなくなった場合に、乗場行先階登録装置５に併設される乗場呼び登録装置４の操作を有効とすることで、この乗場呼び登録装置４に対する操作に伴う行先階無しの乗場呼びに応じた割り当てを行なうことができるので、利用者へのサービスを継続できる。
【０１１８】
また、前述した行先階登録処理装置６ではなく、乗場行先階登録装置５が正常に動作しなくなったことで、この乗場行先階登録装置５に対する操作に伴う、行先階付きの乗場呼びを登録できなくなった場合でも、この乗場行先階登録装置５に併設される乗場呼び登録装置４の操作を有効とすることで、この乗場呼び登録装置４に対する操作に伴う行先階無しの乗場呼びに応じた割り当てを行なうことができるので、利用者へのサービスを継続できる。
【０１１９】
また、乗場呼び登録装置４の操作に伴う行先階無しの乗場呼びに対する割り当てを行なう群管理制御装置１を設け、乗場行先階登録装置５や行先階登録処理装置６を設けていない、従来型のエレベータ群管理制御システムを改修して、本実施形態におけるエレベータ群管理制御システムを構築するには、行先階登録処理装置６を新たに設け、かつ、乗場行先階登録装置５を、当該乗場行先階登録装置５を設けたい乗場の乗場呼び登録装置４に併設し、かつ、群管理制御装置１の登録制御部１４、応答時間算出部１５、割当制御部１６の機能を、行先階登録処理装置６からの行先階付きの乗場呼びを考慮して割り当て号機の選定を行なうように変更すればよい。よって、群管理制御装置１自体を交換することなく、従来型のエレベータ群管理制御システムから本実施形態におけるエレベータ群管理制御システムへの改修が行える。
【０１２０】
これらの各実施形態によれば、行先階無しの乗場呼びの登録のための乗場呼び登録装置と行先階付きの乗場呼びの登録のための乗場行先階登録装置とをともに設けている場合で、一部の動作に異常が生じた場合でも、利用者へのサービスに支障が生じないようにすることが可能になるエレベータ群管理制御システムを提供することができる。  
発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２１】
１…群管理制御装置、２…かご制御装置、３…乗りかご、４…乗場呼び登録装置、５…乗場行先階登録装置、６…行先階登録処理装置、１１，５１，６１…制御部、１２，５２，６２…記憶装置、１３，５３，６３…通信インタフェース、１４，６４…登録制御部、１５，６５…応答時間算出部、１６，６６…割当制御部、５４…出力制御部、５５…タッチパネル、５６…表示制御部、５７，６７…異常検出部、５９，６８…動作制御部。
【図１】
0005882111.tif 000002
【図２】
0005882111.tif 000003
【図３】
0005882111.tif 000004
【図４】
0005882111.tif 000005
【図５】
0005882111.tif 000006
【図６】
0005882111.tif 000007
【図７】
0005882111.tif 000008
【図８】
0005882111.tif 000009
【図９】
0005882111.tif 000010
【図１０】
0005882111.tif 000011
【図１１】
0005882111.tif 000012
【図１２】
0005882111.tif 000013
【図１３】
0005882111.tif 000014
【図１４】
0005882111.tif 000015
【図１５】
0005882111.tif 000016